(57)【要約】【課題】  適正でない向きのＳＤメモリカードのカードコネクタ内に向けた挿し入れを、カードコネクタ手前のハウジング面に形成されているカードスロットにおいて防止する。また、適正でない向きのＳＤメモリカードを横向きに傾けた状態でカードスロット内に挿し入れて、強引にカードストッパを後退させるのを阻止する。【解決手段】  前ハウジング４の背面におけるカードスロット５近傍個所からカードスロット５内に向けて突出する方向に、適正でない向きのＳＤメモリカード４０の前端角部４３（４２，４４）を受け止めるカードストッパ１５をばね付勢させて設けた。また、カードスロット５の左右内壁５Ｌ，５Ｒを手前方向に突出させて、適正でない向きのＳＤメモリカード４０を横向きに傾けてカードスロット５内に挿し入れたときに、当該カード前端角部４３（４２，４４）がカードストッパ１５の先端に届かないようにした。【選択図】図１１
2011044119.tif 000002
【特許請求の範囲】
【請求項１】
方形を有し、かつその前端片端に傾斜縁部が形成されたカードの少なくとも前部が通り抜ける挿し入れが可能なカードスロットを有し、
当該カードスロットを形成するハウジングの背面側には、前記カードを表裏逆向きや前後逆向きなど不適正な向きの挿し入れを阻止するカードストッパが、前記カードスロット内に向けて突出する方向にばね付勢されて設けられ、
当該カードストッパは、前記カードの適正な向きによる挿し入れの際に前記傾斜縁部により後退方向に押操作されて、当該カードの挿し入れを可能にさせる構造とされていることを特徴とするカードストッパ付カードスロット。
【請求項２】
前記カードストッパは、前記ハウジングの内側面に形成されているコ字状の溝内に、前記カードスロットに向けて出没自在に保持されている、請求項１に記載のカードストッパ付カードスロット。
【請求項３】
前記カードストッパの先端部は、前記カードの一方の片側前端縁部に設けられている角部の前端縁に沿って当接する直線形状を有し、
更に、当該カードストッパの先端部は、当該カードの側縁部の途中個所に設けられているコ字状の切欠き部を乗り越えるテーパや曲線形状または切欠き部に落ち込まないサイズの肉厚又は肉厚部分を有している、請求項１又は２に記載のカードストッパ付カードスロット。
【請求項４】
前記ハウジングの裏面に、前記カードストッパの前記カードスロット内に向けた突出位置の位置決めを行なう当接部が設けられ、
当該ハウジングの表面における前記カードスロットの周囲における少なくとも両側に、前記カードの挿し入れの向きと位置決めを図り、当該カードを横に傾けて挿入することによる前記カードストッパの不正な後退を防止するガイド部が、手前方向に突出して設けられている、請求項１乃至３のいずれかの項に記載のカードストッパ付カードスロット。
【請求項５】
請求項１乃至４のいずれかの項に記載のカードストッパ付カードスロットを備える情報処理端末装置であって、
前記カードはメモリカードとされ、かつ前記ハウジングは当該情報処理端末装置のハウジングとされており、
当該ハウジング内には、入力した情報信号を演算・集計しこれを読出し可能に一時記憶する情報処理を行なう回路を有する回路基板が配設され、
前記カードストッパに近接する後方位置には、前記回路基板に電気信号接続され、かつ前記読出した情報を前記メモリカードに記録するカードコネクタが配置されていることを特徴とする情報処理端末装置。
【請求項６】
前記情報処理端末装置は、
タクシー、レンタカー、バス、トラック、普通及び小型並びに軽乗用車等の営業用自動車及び自家用乗用車等の車内に搭載して、車両の走行速度及び走行距離を少なくとも含む車両運行管理情報を演算・集計・記録した車両運行管理データをデータ管理する機能と、当該車両運行管理データを前記メモリカードに格納する機能を備える、車両搭載型の車両運行情報処理端末装置、及び、当該装置から前記メモリカードを媒体として取得した前記車両運行管理データの集計・記録及び管理等を行なう室内設置型の車両運行情報処理端末装置のうちの少なくとも一方の車両運行情報処理端末装置である、請求項５に記載の情報処理端末装置。
【発明の詳細な説明】
【技術分野】
【０００１】  本発明は、前端片端に傾斜縁部が形成されたカードを表裏逆向きや前後逆向きなど適正でない向きで挿し入れることを防止する機能を備えるカードストッパ付カードスロットと、このカードストッパ付カードスロットを備える情報処理端末装置に関し、好適なカードとしてはメモリカードが挙げられる。
【背景技術】
【０００２】  カードをカードスロット内に挿し入れることにより、（ｉ）機械的作動、（ｉｉ）電気的信号接続及び電気スイッチ作動、（ｉｉｉ）コンピュータデータ化された情報の伝達などを行なう技術は周知である。
（ｉ）に関しては、例えば、機械式のカード挿入型錠装置があり、また、おもちゃ内部の機械的な動作のためのスイッチ開閉や押込み動作の付与などについても用いられている。
（ｉｉ）に関しては、電気式のカード錠装置、電気式のカード挿入式スイッチ装置などがある。
（ｉｉｉ）に関しては、例えば、片面にバーコードが記されたカード用のカードスロットとカードコネクタを備えた情報端末処理装置、ＳＤメモリカード（登録商標）、ミニＳＤカード（登録商標）、スマートメディアカード（登録商標）等のメモリカード用のカードスロットとカードコネクタを備えた情報端末装置等がある。【０００３】  これらのカードは、方形の概略形状を有し、機械的作動のためのカードでは、当該カードの前端縁や側縁部にカード毎に異なる形状の切欠き部が形成されているのが通常であり、このため、カードを表裏逆向きや前後逆向きなど不適正な向きで挿し入れても、多くの場合、機械的作動がしない。【０００４】  電気式のカード錠装置、電気式のカード挿入式スイッチ装置用のカードでは、カードを表裏逆向きや前後逆向きなど不適正な向きで挿し入れても、カード側の接点と前記各装置内の接点の位置や向きが異なるため、前記各装置は機能しない。【０００５】  メモリカード用のカードコネクタを備えた情報端末装置の場合、メモリカードを裏表や前後逆方向など誤った向きで前記カードコネクタに挿し入れることによる不具合を防止する技術が公知である。
例えば、特許文献１に記載のカードコネクタの側壁に設けられている逆挿しを防止する端子、特許文献２に記載のＩＣカード誤挿入防止機構、特許文献３における段落「００８５」に記載され同特許文献の図１９に図示されている裏挿しや後挿入を防止するカード挿入口における段差（８０ａ，８０ａ）、特許文献４に記載のカードコネクタが備える誤挿入防止機構などが公知である【０００６】  また、  本願添付の図１６（ａ）〜（ｃ）に示すように、従来において、ＳＤメモリカード４０の裏表を誤った向きでカードコネクタ３１に挿し入れることを防止するため、カードコネクタ３１の前方に位置する前ハウジング４に開設されているカードスロット５の下縁の少なくとも片隅に、ＳＤメモリカード４０の下面の両側縁に沿って形成されている低段部４３，４３に突入する案内突起４ｊ，４ｊを設けて、ＳＤメモリカード４０を表裏逆方向にカードスロット５内に挿入させることを防止する技術も周知である。
そして、図１６（ａ）に示すように、従来においては、ハウジング４の前面に開設されているカードスロット５の前後方向の長さＨ１は、ハウジング４の肉厚程度であった。
【先行技術文献】
【特許文献】
【０００７】
【特許文献１】特開２００６−３０２５６０号公報
【特許文献２】特開２００７−３２３９４４号公報
【特許文献３】特開２００４−１９３１１１号公報（特許第３８０３０９８号公報）における段落「００８５」及び図１９
【特許文献４】特開２００３−３１２８６号公報（特許第３５６１４８７号公報）
【発明の概要】
【発明が解決しようとする課題】
【０００８】  しかしながら、例えば、前記機械式のカード挿入型錠装置の場合、カードを表裏逆向きや前後逆向きなど適正でない向きで挿し入れても、通常の取扱いでは機械的作動が生じないのであるが、簡素な構造の装置ではカードを無理やり斜めに挿し入れたときに装置内の動作部を作動させるおそれがある。【０００９】  また、電気式のカード錠装置の場合、カードを表裏逆向きや前後逆向きなど適正でない向きで挿し入れても機能しないが、無理やりカードを装置内に挿し入れると、カードや装置の故障や破損を生じさせることがある。【００１０】  特許文献１に記載の逆挿しを防止する端子、特許文献２に記載のＩＣカード誤挿入防止機構、特許文献３に記載の裏挿しや後挿入を防止する段差、特許文献４に記載の誤挿入防止機構は、いずれも、カードを挿入する高さが低い箱形のカードコネクタの挿入口内に設けられているため、カードが適正な向きでないのを気づかずに、カードをこの個所まで勢いよく誤挿入すると、カードやカードコネクタを破損させるおそれがある。また、カードコネクタのハウジングが基板に半田付けによって実装されているため、カードの勢いのある誤挿入は、半田の外れや通電不良を起こすおそれがある。
ＳＤメモリカード等のメモリカードを取り扱う人には、荒っぽい使い方をする人や、間違った使い方をする人もあるため、メモリカードを挿し入れる向きが不適正である場合には、メモリカードをカードコネクタに挿し入れ前段階のカードスロットで、挿し入れを阻止して、カードコネクタやメモリカードの破損や故障を防止する必要がある。【００１１】  上述の段落「０００６」に記載と本願添付の図１６（ａ）に示されているように、カードスロット５の下縁の両隅に、ＳＤメモリカード４０の低段部４３，４３に突入する案内突起４ｊ，４ｊを設けても、ＳＤメモリカードを前後逆方向にした挿し入れは防げない。
また、案内突起４ｊ，４ｊは、多くの場合、表裏逆にしたＳＤメモリカード４０のカードスロット５内に向けた挿し入れを防止するが、表裏逆にしたＳＤメモリカード４０を強引にカードスロット５内に押し込むと、カードスロット５が上下に広がる方向に若干弾性変形して、案内突起４ｊ，４ｊがＳＤメモリカード４０の低段部４３，４３が形成されていない反対面に乗り上げて、ＳＤメモリカード４０のカードスロット５内に向けた挿し入れを許してしまうことがある。【００１２】  また、本願添付の図１７に示すように、カードスロット５の前後方向の長さが前ハウジング４の肉厚程度では、ＳＤメモリカード４０をカードスロット５内に斜め方向に挿し入れて、当該カード４０の側縁部に形成されている切欠き部４７内にカードスロット５の片側の側縁部を突入させるおそれがあり、このようになるとＳＤメモリカード４０を破損させるおそれがある。【００１３】  本発明は、このような従来の問題点に鑑みてなされたもので、前端片側に傾斜縁部（Ｃ面）が形成されたカードを、表裏逆向き、前後逆向き、表裏と前後が逆向きという、すべての適正でない向きでカードスロット内に挿し入れることをカードストッパで防止するために提案された。
また、本発明では、前後逆向きや表裏逆向き、さらに横方向に傾けた状態で、当該カードを不正にカードスロット内に挿し込んでカードストッパを無理やり後退させることも防止するために提案された。
【課題を解決するための手段】
【００１４】  本発明請求項１に係るカードストッパ付カードスロットは、
方形を有し、かつその前端片端に傾斜縁部が形成されたカードの少なくとも前部が通り抜ける挿し入れが可能なカードスロットを有し、
当該カードスロットを形成するハウジングの背面側には、前記カードを表裏逆向きや前後逆向きなど不適正な向きの挿し入れを阻止するカードストッパが、前記カードスロット内に向けて突出する方向にばね付勢されて設けられ、
当該カードストッパは、前記カードの適正な向きによる挿し入れの際には前記傾斜縁部により後退方向に押操作されて、当該カードの挿し入れを可能にさせる構造とされているところに特徴がある。【００１５】  このカードストッパ付カードスロットは、方形を有し、かつその前端片端に傾斜縁部が形成されたカードの少なくとも前部を通過させる挿し入れが可能なカードスロットを用いることにより、当該カードの表裏逆向きや前後逆向きなど不適正な向きの挿し入れを阻止する機能が作用する。
即ち、表裏逆向きや前後逆向きなど不適正な向きにした当該カードを前記カードスロット内に挿し入れ始めると、当該カードの前端片角部が前記カードスロット内に突出している前記カードストッパの先端部手前面に当接して、当該カードはそれ以上挿し入れることができない状態になる。
一方、適正な向きの前記カードを前記カードスロット内に挿し入れると、前記傾斜縁部が前記カードストッパを後退する方向に押して、当該カードの更なる挿し入れを可能にさせ、これにより当該カードの少なくとも前部が前記カードストッパを通過する。
本発明請求項１に係るカードストッパ付カードスロットは、例えば、機械式のカード挿入型錠装置やおもちゃ等の機械的作動、電気式のカード錠装置や電気式のカード挿入式スイッチ装置などの電気的信号接続及び電気スイッチ作動、カードコネクタを備えた情報端末処理装置等の分野において用いられる。【００１６】  請求項２に係るカードストッパ付カードスロットは、更に、前記カードストッパが、前記ハウジングの内側面に形成されているコ字状の溝内に、前記カードスロットに向けて出没自在に保持されている。【００１７】  このコ字状の溝は、前記ハウジングの内側面（背面）から前面方向に低段部とすることにより、或いは、前記ハウジングの内側面にカードストッパを出没自在に保持する２本のリブを設けることにより形成される。
このコ字状の溝は、カードストッパをカードスロット方向に出没自在に保持させる。カードストッパには前記カードの挿し入れ方向の外圧を受けるため、この外圧に反する方向からも支持させる必要がある。これには、前記２本のリブ間にカードストッパを被う金属板を装着するなどすることにより可能である。【００１８】  請求項３に係るカードストッパ付カードスロットは、請求項１又は２に記載の構成において、更に、
前記カードストッパの先端部は、前記カードの一方の片側前端縁部に設けられている角部の前端縁に沿って当接する直線形状を有し、
更に、当該カードストッパの先端部は、当該カードの側縁部の途中個所に設けられているコ字状の切欠き部を乗り越えるテーパや曲線形状または切欠き部に落ち込まないサイズの肉厚又は肉厚部分を有している。【００１９】  この直線形状は、前記カードを挿し入れる方向と直交する方向に向けられて、当該カードが表裏逆向きや前後逆向きなど適正でない向きで前記カードスロット内に挿し入れようとするときに、当該カードの先端片縁部を的確に受け止めて、当該カードの挿し入れを阻止する。
当該カードをカードスロット内に挿し入れる途上で、前記カードストッパの先端部が当該カードの側縁部に設けられている切欠き部内に落ち込まないようにし、又は乗り越えられる形状にしなければ、当該カードを更に前方に挿し入れることができない。このため、前記カードストッパの先端部が前記切欠き部に落ち込まない又は乗り越えるテーパや曲線形状または切欠き部に落ち込まないサイズの肉厚又は肉厚部分を有する。【００２０】  請求項４に係るカードストッパ付カードスロットは、請求項１乃至３のいずれかの項に記載の構成において、更に、
前記ハウジングの裏面に、前記カードストッパの前記カードスロット内に向けた突出位置の位置決めを行なう当接部が設けられ
当該ハウジングの表面における当該カードスロットの周囲における少なくとも両側に、前記カードの挿し入れの向きと位置決めを図り、当該カードを横に傾けて挿入することによる当該カードストッパの不正な後退を防止するガイド部が、手前方向に突出して設けられている。【００２１】  ばね付勢された前記カードストッパは、その先端部を前記カードスロット内に突出した位置で停止させて、前記カードの先端片側縁部に当接させるようにする必要がある。このため、当該カードストッパが当該カードスロット内に必要以上に出過ぎないようにする当接部を前記ハウジングの裏面に設けた。
この当接部を当該カードスロット内に設けると前記カードの挿し入れの邪魔になるため、当該カードスロット近傍個所に設けた。好適とされる当接部は、当該カードストッパの進退方向の前方に設けたリブの端面があり、このリブは当該ハウジングに一体形成されている構造である。
そして、当該カードストッパもこの当接部に当接する幅を有する。【００２２】  請求項５に係る情報処理端末装置は、
請求項１乃至４のいずれかの項に記載のカードストッパ付カードスロットを備える情報処理端末装置であって、
前記カードはメモリカードとされ、かつ前記ハウジングは当該情報処理端末装置のハウジングとされており、
当該ハウジング内には、入力した情報信号を演算・集計しこれを読出し可能に一時記憶する情報処理を行なう回路を有する回路基板が配設され、
前記カードストッパに近接する後方位置には、前記回路基板に電気信号接続され、かつ前記読出した情報を前記メモリカードに記録するカードコネクタが配置されているところに特徴がある。【００２３】  この情報処理端末装置は、ハウジング内にコンピュータデータ処理された情報をメモリカードに記録するカードコネクタが実装され、当該カードコネクタに近接するハウジング前面個所に前記メモリカードを当該カードコネクタに向けて挿し入れるための案内口であるカードスロットを備える情報処理端末装置である。
この情報処理端末装置は、少なくともメモリカード用のカードスロットを備える電気・電子機器、通信機器等であれば足りる。例えば、家庭用の分野では、電子レンジ、ＴＶ，ラジオ、携帯録音再生器、電子辞書、パソコン、防犯錠装置、携帯電話機、モバイル通信端末機、デジタルカメラ、デジタルビデオ、ＤＰＳ装置、電子錠装置などが挙げられる。産業用の分野では、後述する車載型及び室内設置型の車両運行情報処理端末装置、レーザ測量機、ＮＣ金属加工機、電車やバス等の乗物及び建物内のアナウンス装置、建物内や屋外におけるガスや粉塵等の環境測定装置、治療データを集計管理する医療情報管理装置等が挙げられる。
この情報処理端末装置によれば、前記メモリカードのラベルが貼られている面を上にしてカードスロット内に挿し入れる構造を有する情報処理端末装置の場合には、カードストッパはカードスロットの右側から該スロット内に向けて出没自在である。
そして、前記メモリカードを適正な向きでカードスロット内に挿し入れると、当該メモリカードの先端右端の傾斜縁部がカードストッパの先端部に当接して、カードストッパが該傾斜縁部に沿って右方向に押し下げられるため、当該メモリカードは更に前方のカードコネクタ内に向けた挿し入れが可能になる。
そして、当該メモリカードを表裏逆向きや前後逆向きなど不適正な向きにして前記カードコネクタに挿し入れようとしても、当該メモリカードの前端片角部が前記カードストッパの先端部の手前面に当接して、前記カードコネクタ内に挿し入れられることはない。【００２４】  請求項６に係る情報処理端末装置は、請求項５に記載の情報処理端末装置であり、しかも、
タクシー、レンタカー、バス、トラック、普通及び小型並びに軽乗用車等の営業用自動車及び自家用乗用車等の車内に搭載して、車両の走行速度及び走行距離を少なくとも含む車両運行管理情報を演算・集計・記録した車両運行管理データをデータ管理する機能と、当該車両運行管理データを前記メモリカードに格納する機能を備えた車両搭載型の車両運行情報処理端末装置、
及び、当該装置から前記メモリカードを媒体として取得した前記車両運行管理データの集計・記録及び管理等を行なう室内設置型の車両運行情報処理端末装置、のうちの少なくとも一方の車両運行情報処理端末装置とされている。【００２５】  例えば、タクシー車内搭載型の車両運行情報処理端末装置は、従来の手書きの日報に代わり、乗務日時、乗客の乗降時間、カーナビゲーション装置を併用した乗客の乗降地、料金の精算が現金であるのかカード払いであるのか或いはタクシーチケット利用であるのかについての種別、個別の売上げ料金と売上げ料金の累計、走行距離、ＥＴＣ利用記録、などが自動演算記録されて、前記コネクタを介して、この記録がＳＤメモリカード等のメモリカードに記録される。タクシードライバーは乗務を終えた後、このメモリカードを取り出して、タクシー会社に提出し、タクシー会社は、このメモリカード内に格納された情報を室内設置型の車両運行情報処理端末装置で読み出しパソコン等に格納して、運転日報等の管理・集計等に役立てる。
また、タクシー以外の車両搭載型の車両運行情報処理端末装置は、車両管理等に利用できる。
バスの車内搭載型の車両運行情報処理端末装置では、さらに、アナウンス情報を格納したメモリカードを挿し入れて、車内にこの情報を流すことも可能である。
【発明の効果】
【００２６】  請求項１に係るカードストッパ付カードスロットによれば、
前記カードを表裏逆向きや前後逆向きなど適正でない向きで前記スロット内に挿し入れることを、このスロットの位置で防止することが出来る。この結果、向きの違いを無視した無理な取り扱いによるカードやカードコネクタの破損などが未然に防止出来る。【００２７】  請求項２に係るカードストッパ付カードスロットによれば、
前記カードストッパを前記ハウジング内側面のコ字状の溝内に、前記カードスロットに向けて出没自在に保持させた結果、当該カードストッパの進退方向の円滑な移動を可能にする保持が、当該ハウジングの補強とともに行なうことが出来る。【００２８】  請求項３に係るカードストッパ付カードスロットによれば、
前記カードストッパの先端部を、前記カードの一方の片側先端縁部に設けられている角部の先端縁に沿って当接する直線形状とした結果、当該カードの向きが、表裏逆向きや前後逆向きなど適正でない場合、当該カードの先端片縁部を的確に受け止めて、当該カードの挿し入れを阻止することが出来る。
また、当該カードストッパの先端部について、当該カードの側縁部の途中個所に設けられているコ字状の切欠き部を乗り越えるテーパや曲線形状または切欠き部に落ち込まないサイズの肉厚又は肉厚部分を有するものとした結果、当該カードを前記カードスロット内に挿し入れる途上で、当該カードストッパの先端部が当該カードの側縁部に設けられている切欠き部内に落ち込む不測の事態を未然に防止することが出来る。【００２９】  請求項４に係るカードストッパ付カードスロットによれば、
前記ハウジングの裏面に、前記カードストッパの前記カードスロット内に向けた突出位置の位置決めを行なう当接部を設けた結果、表裏逆向きや前後逆向きなど不適正な前記カードの挿し入れは、当該カードスロット内に突出させた位置で、当該カードストッパの先端部によって確実に阻止される。
また、当該ハウジングの表面における当該カードスロットの周囲における少なくとも両側に、前記カードの挿し入れの向きと位置決めを図り、当該カードを横に傾けて挿入することによる当該カードストッパの不正な後退を防止する前記ガイド部を手前方向に突出して設けた結果、表裏逆向きや前後逆向きにした当該カードを横に傾けて無理やり当該カードスロット内に挿入することによる、不正な当該カードストッパの押し下げが防止される。
とくに、当該ガイド部の両側において対向する手前箇所の２点と、当該カードストッパの先端部である１点とによる３点の位置関係が、前後を逆に向け、かつ斜め横方向に向けた当該カードを前記２点に当接させたときに、当該カードの前端角部が前記１点に届かない位置関係であると、当該カードを斜め横方向に無理やり操作して、当該カードの前端右角部で当該カードストッパを不正に後退する方向に押し下げてしまう不具合が生じない。【００３０】  請求項５によれば、入力した情報信号を演算・集計しこれを読出し可能に一時記憶する情報処理を行なうとともに読出した情報を前記メモリカードに送信・格納し得る前記カードコネクタを備えた情報処理端末装置に、段落「００２６」乃至「００２９」に記載の効果をもたらす。【００３１】  請求項６に係る情報処理端末装置によれば、
車内で取得した車両運行管理データを記録する車両搭載型の車両運行情報処理端末装置、及び当該装置から前記メモリカードを媒体として取得した記録データを集計・記録及び管理等を行なう室内設置型の車両運行情報処理端末装置とした結果、従来の運転日報を自動記録し、この記録情報は当該メモリカードを通じて、室内設置型の車両運行情報処理端末装置で読出しパソコン等に格納して、集計・記録及び管理等に役立てることができる。
【図面の簡単な説明】
【００３２】
【図１】（ａ）は本発明１実施形態に係る情報処理端末装置を前面方向から見た斜視図、（ｂ）図はその一部を示した図。
【図２】この装置の正面図。
【図３】この装置の分解斜視図。
【図４】前ハウジングを斜め後方から見た斜視図。
【図５】前ハウジングの背面図。
【図６】（ａ）は前ハウジングの一部を背面側から示した図、（ｂ）及び（ｃ）は更にカードストッパを取り付けて示した図。
【図７】（ａ）はカードストッパを正面側から見た斜視図、（ｂ）は平面図。
【図８】（ａ）及び（ｂ）はいずれも他形状のカードストッパを示した斜視図。
【図９】ＳＤメモリカードの右側縁部の一部とカードストッパの先端部を対比して示した平面図。
【図１０】カードストッパを後方から背板で被った状態の前ハウジングの一部を背面側から示した図。
【図１１】カードスロットとカードコネクタをＳＤメモリカードとともに示した平面断面図。
【図１２】（ａ）は前後逆方向に向けたＳＤメモリカードを横に傾けた姿勢でカードスロット内に挿し入れる初期段階を示した平面断面図、（ｂ）はさらに続く後段階を示した平面断面図。
【図１３】ＳＤメモリカードを適正な向きでカードスロット内に挿し入れる途中の状態を示した平面断面図。
【図１４】ＳＤメモリカードを適正な向きでカードスロット内に挿し入れ終えた状態を示した平面断面図。
【図１５】表裏逆向きにしたＳＤメモリカードがカードスロット内において更に深い挿し入れが阻止された状態を示した平面断面図。
【図１６】（ａ）は従来構造のカードスロットをカードコネクタ及びＳＤメモリカードとともに示した平面断面図、（ｂ）はＳＤメモリカードの後面図、（ｃ）はカードスロットの正面図。
【図１７】ＳＤメモリカードを従来構造のカードスロット内に向けて挿し入れる途中で引っ掛かった状態を示した平面断面図。
【発明を実施するための形態】
【００３３】  本発明を実施するための最良の形態が次の実施例の記載により一層明確になる。
【実施例】
【００３４】  図１（ａ）は本発明１実施形態に係る情報処理端末装置を前面方向から見た斜視図、（ｂ）はその一部を示した図、図２はこの装置の正面図、図３はこの装置の分解斜視図である。
図１〜図３に示す情報処理端末装置１は、タクシーの車内に搭載して、運転情報等を自動演算記録する機能を備え、従来の手書きの運転日報に代わる装置である。【００３５】  この情報処理端末装置１は、２つの後部側ハウジング３Ａ，３Ｂと前ハウジング４とからなる、３つ割れのハウジング２により外観が形成されており、前ハウジング４の前面は前パネルシート４ａが貼り付けられている。
図１（ａ）及び図２、図３はスライドシャッター７を横スライドさせてカードスロット５の手前方向を開放させた状態で示し、図１（ｂ）はスライドシャッター７が閉じた状態で示している。
図３に示すように、前ハウジング４後方には、車両運行情報処理を行なう電子部品を実装した基板３０と、前端片端に傾斜縁部が形成されたメモリカードの１種であるＳＤメモリカード用のカードコネクタ３１等が搭載されている。より正確には、この基板３０はハウジング２の後部側ハウジング３Ａ内に、取付金具２０Ｌ，２０Ｒ、２１を利用して装着されている。前ハウジング４の中央辺りの個所には、ＳＤメモリカード用のカードスロット５が横水平方向に開設されている。【００３６】  前ハウジング４の前面には、カードスロット５の入口の両側部を手前方向に突出させたガイド部６が一体形成され、ガイド部６の片側には、カードスロット５を前方から被うスライドシャッター７が、横スライド自在に支持されており、カードスロット５は、前ハウジング４におけるガイド部６の間の個所に開設されている。
カードスロット５は、ＳＤメモリカード４０を挿し入れたときに、その周囲に若干の隙間ができる形状及び大きさがある。
前ハウジング４の前面左側には電源スイッチが動作しているかなどを点灯表示する窓８ａ，８ｂ，８ｃが設けられ、前面右側にはＳＤメモリカードの挿し込み状態や使用状態などを点灯表示する窓１０ａ〜１０ｄが設けられている。
また、前ハウジング４の前面上部には、７セグメント文字による表示窓１１が設けられ、前ハウジング４の前面下部には、情報処理の切替スイッチ９ａ〜９ｆが設けられ、その右横には切替スイッチ１２が設けられている。【００３７】  図４は前ハウジングを斜め後方から見た斜視図、図５は前ハウジングの背面図である。
図４及び図５に示すように、前ハウジング４の背面には補強リブ４ｎ・・が後方に起立した向きで縦横に設けられている。
更に、前ハウジング４の背面におけるカードスロット５の左方個所には、凹段部１４が設けられて、この凹段部１４内には、ＳＤメモリカードを表裏逆向きや前後逆向きなど不適正な向きによる前記カードコネクタに向けた挿し入れを阻止するカードストッパ１５が、先端部をカードスロット５方向に向けて出没自在に設けられている。カードストッパ１５は、カードスロット５方向にコイルばね１６で付勢され、さらに、ねじ穴を有するボス４ｋ・・・にビス１８・・・を用いて装着した金属薄板製の背板１７によって、背面方向に脱落しないように支持されている。
図５に示すように、ばね付勢されたカードストッパ１５を、カードスロット５内に先端部を突出させる位置で停止させるため、カードスロット５の背面には前ハウジング４の一部で形成した当接部４ｓ，４ｓがカードストッパ１５の先端面に対向する向きで設けられている。
この他、カードスロット５の下部片隅には、ＳＤメモリカードを表裏逆方向に誤って挿し入れることを防止する案内突起４ｊが形成されている。【００３８】  図６（ａ）は前ハウジングの一部を背面側から見た図、（ｂ）及び（ｃ）は更にカードストッパを取り付けて示した図である。尚、図、（ｂ）及び（ｃ）では、カードストッパ１５の動作がわかり易いように、背板１７を取り外した状態で示している。
図６（ａ）は、カードスロット５と、先程の凹段部１４が設けられている個所をわかり易くするため、ともに斜線部分で示している。
そして、図６（ｂ）に示すカードストッパ１５の先端部は、図６（ａ）に示す双方の斜線が重なる個所Ｋまでカードスロット５内に突入する。
図６（ｂ）に示すように、カードストッパ１５は、先端部をカードスロット５方向に向けて凹段部１４内に前後進退自在に保持され、カードストッパ１５の後方に配したコイルばね１６で前方に付勢されている。コイルばね１６にて付勢されたカードストッパ１５は、その先端部がカードスロット５内に突入する位置で、当接部４ｓ，４ｓに当接して停止した状態にあり、この停止位置からカードストッパ１５を後退方向に外圧を付与すると、図６（ｃ）に示すように、カードスロット５内に突入しない位置まで後退する。【００３９】  図７（ａ）はカードストッパを正面側から見た斜視図で示し、（ｂ）は平面図で示している。
図７（ａ）及び（ｂ）に示すように、カードストッパ１５は角形状のストッパ本体１５ａとその後方に突出する軸部１５ｅとにより構成されている。
ストッパ本体１５ａは、正面視及び背面視において矩形の外形を有し、正面側の先端部には横直線方向の低段部１５ｂが形成され、その後方には低段部１５ｂに至る斜面部１５ｃが形成されている。
そして、ストッパ本体１５ａの背面の先端個所に凸段部１５ｄが後方に向けて突出形成されている。【００４０】  図８（ａ）及び（ｂ）はいずれも他形状のカードストッパを斜視図で示している。
図８（ａ）に示すカードストッパ１５Ａは、ストッパ本体１５ａが長方形を有し、（ｂ）に示すカードストッパ１５Ｂは、ストッパ本体１５ａの先端部に丸みを持たした形状を有している。
図７（ａ）及び（ｂ）に示すカードストッパ１５が最適な形状とされるが、図８（ａ）又は（ｂ）に示す形状に置き換えてもよい。【００４１】  図９はＳＤメモリカードの右側縁部の一部とカードストッパの先端部を対比して示した平面図である。
図９に示すように、ＳＤメモリカード４０の右側縁部の途中個所にはコ字形状の切欠き部４８が形成されており、ＳＤメモリカード４０をカードスロット内に挿し入れる途中で、この切欠き部４８内にカードストッパ１５の先端部である低段部１５ｂが突入すると、ＳＤメモリカード４０の挿し入れが途中で出来なくなる。
このため、低段部１５ｂの背面側に凸段部１５ｄを形成して、低段部１５ｂの先端部における最大肉厚部分の厚みＷ２が、切欠き部４８の幅Ｗ１よりも広くなるようにして、当該先端部が切欠き部４８内に落ち込まないようにした。図８（ａ）及び（ｂ）に示すカードストッパ１５Ａ，１５Ｂについても、ストッパ本体１５ａ，１５ａの前後方向の厚みを図９に示す切欠き部４８内に落ち込まない厚みにする必要がある。
また、図８（ｂ）に示す先端が曲線状のカードストッパ１５Ｂは、仮にこの先端が図９に示す切欠き部４８内に落ち込んでも、切欠き部４８を乗り越えることができる。この曲線がラッチの如き斜面（テーパ）であってもよいことは言うまでもない。【００４２】  図１０はカードストッパを後方から背板で被った状態の前ハウジングの一部を背面側から示した図である。
図１０に示すように、カードストッパ１５を後方から背板１７で被うと、カードストッパ１５の後方に向けた移動や脱落が防止される。背板１７の片側縁部にはコ字形状の切欠き部１７ａが形成されて、カードストッパ１５の背面に形成されている凸段部１５ｄがこの切欠き部１７ａ内に突入して、カードストッパ１５の後方移動を可能にさせている。【００４３】  図１１はカードスロットとカードコネクタをＳＤメモリカードとともに示した平面断面図、図１２（ａ）は前後逆方向に向けたＳＤメモリカードを横に傾けた姿勢でカードスロット内に挿し入れる初期段階を示した平面断面図、（ｂ）はさらに続く後段階を示した平面断面図であり、図１２（ａ）と（ｂ）は本発明実施形態と対比させたカードスロット周辺個所を示している。【００４４】  図１１に示すように、カードスロット５の左右内壁５Ｌ，５Ｒの間隔Ｌ１は、ＳＤメモリカード４０の横幅Ｌ２よりも僅かに広い程度としてある。
カードスロット５の入口側には前述したようにハウジング４の一部個所を手前方向に突出させたガイド部６が設けられて、左右内壁５Ｌ，５Ｒが前方に長く形成されている。
カードストッパ１５からガイド部６の手前側端部に至る前後方向の突出長さＨ２は、前後逆向きにした鎖線で示すＳＤメモリカード４０ｘがカードスロット５内に斜め横方向から挿し入れられて、カードスロット５の左右内壁５Ｌ，５Ｒの手前側端部の個所Ｐ１，Ｐ２に接したときに、このＳＤメモリカード４０ｘの先端角部４３がカードストッパ１５の先端個所Ｐ３に届かない長さとしてある。
すなわち、例えば、図１２（ａ）に示すように、カードスロット５の左右内壁５Ｌ，５Ｒの前後方向の突出長さＨ１が短いカードスロット５の場合では、前後逆向きにしたＳＤメモリカード４０ｘをカードスロット５内に斜め横方向から挿し入れて、ＳＤメモリカード４０ｘがカードスロット５の左右内壁５Ｌ，５Ｒの手前側端部の個所Ｐ１，Ｐ２に接したときに、このＳＤメモリカード４０ｘの先端角部４３がカードストッパ１５の先端個所Ｐ３に届いて、図１２（ｂ）に示すように、このＳＤメモリカード４０ｘを強引に真っ直ぐに向けるときに、当該カード４０ｘの先端角部４３でカードストッパ１５を後退する方向に押し込んで、不正な向きにある当該カード４０ｘの更なる挿し入れを許してしまう不具合が生じる。
不正な向きによるＳＤメモリカード４０ｘの挿し込みには、この他にも表裏の逆向き、表裏と前後の逆向きによる挿し込みがあり、いずれも図１２（ａ）及び（ｂ）に示す上述した不具合が生じるおそれがあるが、図１１に示す本発明実施形態のカードスロット５とカードストッパ１５は、これらの不具合が生じない。【００４５】  図１３はＳＤメモリカードを適正な向きでカードスロット内に挿し入れる途中の状態を示した平面断面図、図１４はＳＤメモリカードを適正な向きでカードスロット内に挿し入れ終えた状態を示した平面断面図である。
図１３に示す状態から図１４に示すように、ＳＤメモリカード４０を適正な向きでカードスロット５内に挿し入れると、当該カード４０の前端片側に設けられている傾斜縁部（Ｃ面）４１が、カードストッパ１５の先端部に当接し、当該カード４０を更に深く挿し入れると、カードストッパ１５の先端部が傾斜縁部（Ｃ面）に押されて後退する。このため、図１４に示すように、ＳＤメモリカード４０が、カードスロット５の向こうに位置するカードコネクタ３１内に突入して、当該コネクタ３１の端子とＳＤメモリカード４０の端子とが通電可能に面接触する。【００４６】  図１５は表裏逆向きにしたＳＤメモリカードがカードスロット内において更に深い挿し入れが阻止された状態を示した平面断面図である。
図１５に示すように、表裏逆向きにしたＳＤメモリカード４０を強引にカードスロット５内に挿し入れようとすると、このカード４０の前端右角部４２が、カードストッパ１５の先端の低段部１５ｂの手前側面である横直線方向の部分に当接して、ＳＤメモリカード４０の前進を阻止させる。このため、表裏逆向きにしたＳＤメモリカード４０では、カードスロット５内から更にその後方のカードコネクタ３１内に挿し入れることが出来ない。
図示していないが、ＳＤメモリカード４０を前後逆方向に向けてカードスロット３１内に挿し入れようとする場合でも同様である。
【符号の説明】
【００４７】    １  （本発明１実施形態に係る）情報処理端末装置
２    ハウジング
３    後部側ハウジング
４    前ハウジング
５    カードスロット
５Ｌ，５Ｒ  左右内壁
６    ガイド部
１４    凹段部
１５    カードストッパ
１５ａ  ストッパ本体
１５ｂ  低段部
１５ｃ  斜面部
１５ｅ  軸部
１６    コイルばね
１７    背板
１７ａ  切欠き部
４０    ＳＤメモリカード
４１    傾斜縁部（Ｃ面）
４２  （適正な向きにあるＳＤメモリカードの）前端角部
４３，４４  （不適正な向きにあるＳＤメモリカードの）前端角部
４７，４８  （コ字形状の）切欠き部
【図１】
2011044119.tif 000003
【図２】
2011044119.tif 000004
【図３】
2011044119.tif 000005
【図４】
2011044119.tif 000006
【図５】
2011044119.tif 000007
【図６】
2011044119.tif 000008
【図７】
2011044119.tif 000009
【図８】
2011044119.tif 000010
【図９】
2011044119.tif 000011
【図１０】
2011044119.tif 000012
【図１１】
2011044119.tif 000013
【図１２】
2011044119.tif 000014
【図１３】
2011044119.tif 000015
【図１４】
2011044119.tif 000016
【図１５】
2011044119.tif 000017
【図１６】
2011044119.tif 000018
【図１７】
2011044119.tif 000019